(57)【要約】【課題】温蔵室及び冷蔵室が外部と連通する隙間を埋めることが可能な温冷蔵装置を提供する。【解決手段】両扉６０Ａ，６０Ｂに装着されたパッキン６４のうち開放端側のパッキン６４の当接部分６４Ｂには、仕切壁１５との接触面と面一となり隣の扉６０Ａ側に向けて一体的に延出形成されたひれ部６７が設けられている。両パッキン６４，６４のひれ部６７，６７は、扉６０の縦枠の高さに匹敵する長さを有し、かつ両扉６０Ａ，６０Ｂを閉じた状態で延出端同士が互いに重なり合う幅を持っている。両扉６０Ａ，６０Ｂを順次閉じると、パッキン６４がマグネット６６の磁力によって仕切壁１５の金属板に吸着することで、両ひれ部６７，６７は仕切壁１５側に付勢されつつ仕切壁１５の端面上で重なり合い、両扉６０Ａ，６０Ｂ間の隙間を埋めて温蔵室１６及び冷蔵室１７と外部との隙間を塞ぐことができる。【選択図】　図４
2004093060.tif 000002
【特許請求の範囲】
【請求項１】
前後両面の少なくともいずれか一方が開口された断熱箱からなる本体内に、上下動可能な可動部材を備えた単位仕切壁を複数個積み上げた仕切壁が設けられることで、その左右両側に温蔵室と冷蔵室とが断熱されて形成され、トレイが前記可動部材を移動させて上下の単位仕切壁の間を貫通しつつ前記温蔵室と冷蔵室とにわたって収容可能とされるとともに、前記温蔵室と冷蔵室の開口部には、一対の扉がそれぞれ縦軸回りの回動を伴って開閉可能に装着された温冷蔵装置において、
前記両扉の互いに隣接した端縁には、両扉を閉めた際に、互いに接触して両扉間の隙間を塞ぎ、かつ前記仕切壁の表面に密着する一対の閉塞部が設けられていることを特徴とする温冷蔵装置。
【請求項２】
前記閉塞部は、前記各扉の裏面に装着されたパッキンのうちの前記仕切壁と対向した部分から、隣の扉側に向けて一体的に延出形成されたひれ部によって構成されていることを特徴とする請求項１記載の温冷蔵装置。
【発明の詳細な説明】
【０００１】
【発明の属する技術分野】
本発明は、仕切壁の左右両側に温蔵室と冷蔵室とが形成された温冷蔵装置に関する。
【０００２】
【従来の技術】
この種の温冷蔵装置の一例として、病院等で使用される温冷配膳車が知られており、その全体的な構造を図７によって説明すると以下のようである（例えば特許文献１参照）。このものは、底面に車輪２を備えると共に前面が開口した断熱箱からなる本体１内が中間壁３により左右に仕切られ、それぞれがさらに断熱性の仕切壁４で仕切られることにより、両端に２つの温蔵室５が、中央に２つの冷蔵室６が形成され、隣り合う温蔵室５と冷蔵室６とが対となって左右２組設けられている。一方、対をなす温蔵室５と冷蔵室６とにわたって収容可能なトレイ７が備えられ、トレイ７上に温食と冷食とを分けて載せ、仕切壁４を貫通しつつトレイ７を両室５，６にわたって収容することで、温食は保温状態に、冷食は保冷状態にそれぞれ貯蔵することができるようになっている。
【０００３】
ここで、仕切壁４は、上記のようにトレイ７を貫通させつつ温蔵室５と冷蔵室６とにわたって収容させる必要があることから、下側が開口した箱形のケース８ａとその開口部から下側部分を突出させつつケース８ａ内に上下動可能に収容される可動部材８ｂとを備えてなる単位仕切壁８を複数個積層して形成されている。各単位仕切壁８は、その可動部材８ｂを下側の単位仕切壁８の上面に載せた状態で積層されている。そしてトレイ７は、可動部材８ｂを持ち上げつつ下側の単位仕切壁８の上面との間に割って入るようにして、温蔵室５と冷蔵室６とにわたって収容される。
また、温蔵室５及び冷蔵室６の開口部には、仕切壁４から観音開き状に開閉可能な一対の扉９，９が２組設けられている。各扉９の裏面の周縁にはパッキン９ａが配されており、扉９を閉めた際にこのパッキン９ａが温蔵室５及び冷蔵室６のの開口部の周縁に当接することで本体１内外の熱の出入りを抑制し、温蔵室５及び冷蔵室６の温冷状態を維持するようにしていた。
【０００４】
【特許文献１】
特開２０００−９７５５９公報（第２項、第１８図）
【０００５】
【発明が解決しようとする課題】
ところが、上述した構成のものでは、前記一対の扉９，９の開閉を可能にするには、図７に示すように、開閉操作の際に互いの開放端同士が干渉しないように両扉９間にある程度の隙間Ｓ１（同図において点線で囲んだ部分）を設ける必要がある。また、各単位仕切壁８は、上記したようにケース８ａ内に可動部材８ｂを上下動可能に収容し、その可動部材８ｂの下側をケース８ａの開口部から突出させた構成となっているので、図８（Ａ）に示すように、扉９を閉めた際にパッキン９ａと可動部材８ｂとの間にケース８ａの厚み分だけ隙間Ｓ２（同図（Ａ）において点線で囲んだ部分）が開いてしまう。即ち、同図（Ｂ）に示すように、温蔵室５及び冷蔵室６が、両扉９，９間の隙間Ｓ１と、可動部材８ｂ及び扉９のパッキン９ａ間の隙間Ｓ２とを介して外部と連通してしまい、ここから熱の出入りが可能となり温冷効果を低下させてしまうと共に、外部から埃等が侵入するおそれがあり衛生上好ましくないという問題があった。
本発明は、上記事情に鑑みてなされたもので、その目的は、温蔵室及び冷蔵室が外部と連通する隙間を埋めることが可能な温冷蔵装置を提供するところにある。
【０００６】
【課題を解決するための手段】
上記目的を達成するため、請求項１の発明に係る温冷蔵装置は、前後両面の少なくともいずれか一方が開口された断熱箱からなる本体内に、上下動可能な可動部材を備えた単位仕切壁を複数個積み上げた仕切壁が設けられることで、その左右両側に温蔵室と冷蔵室とが断熱されて形成され、トレイが可動部材を移動させて上下の単位仕切壁の間を貫通しつつ温蔵室と冷蔵室とにわたって収容可能とされるとともに、温蔵室と冷蔵室の開口部には、一対の扉がそれぞれ縦軸回りの回動を伴って開閉可能に装着された温冷蔵装置において、両扉の互いに隣接した端縁には、両扉を閉めた際に、互いに接触して両扉間の隙間を塞ぎ、かつ仕切壁の表面に密着する一対の閉塞部が設けられているところに特徴を有する。
請求項２の発明は、請求項１記載の温冷蔵装置において、閉塞部は、各扉の裏面に装着されたパッキンのうちの仕切壁と対向した部分から、隣の扉側に向けて一体的に延出形成されたひれ部によって構成されているところに特徴を有する。
【０００７】
【発明の作用及び効果】
＜請求項１の発明＞
一対の扉を閉じた際、それぞれの扉に設けられた閉塞部が仕切壁に密着しつつそれら閉塞部同士が接触して両扉間の隙間が塞がれる。このため、温蔵室及び冷蔵室と外部との熱の出入りが抑制されて、優れた温冷効果が発揮され、また省エネルギ化に寄与し得る。それとともに、外部の塵や害虫等が温蔵室及び冷蔵室内に侵入することが阻止され、衛生的である。
＜請求項２の発明＞
閉塞部を構成するひれ部が既存のパッキンから一体形成されているから、製造が簡単で安価に対応でき、またパッキンを装着することに伴ってひれ部の位置も自ずから決まるから、位置決めも含めて扉への取付作業も容易になる。
【０００８】
【発明の実施の形態】
以下、本発明の実施形態を添付図面に基づいて説明する。
＜第１実施形態＞
本発明の第１実施形態を図１ないし図５によって説明する。本実施形態では温冷配膳車を例示しており、図１及び図２に示すように、全体として矩形箱状をなす貯蔵室本体１０（以下、単に本体という）を備えており、詳細には前後両面が開放された形状で、天井壁、底壁並びに左右の側壁内に発泡ウレタン等の断熱材を充填した断熱箱体として構成されている。本体１０の底面にはキャスタ１１が装備されて移動可能となっているとともに、上面には機械室１２が設けられている。
【０００９】
本体１０の前面と後面の開口部における幅方向の中央部には、それぞれ縦フレーム１３が立てられているとともに、本体１０内にもその幅方向の中央部に中間壁１４が設けられ、内部が左右２室に分けられている。さらに左右の２室では、その幅方向の中央部よりも少し中間壁１４側に寄った位置に、詳しくは後記する断熱性の仕切壁１５が設けられている。これにより、仕切壁１５の外側に温蔵室１６が、仕切壁１５の内側に温蔵室１６よりも少し間口の狭い冷蔵室１７が、それぞれ２つずつ構成されている。
言い換えると、隣り合った温蔵室１６と冷蔵室１７の組が左右方向に２組形成され、さらにこれが前後に分けられて、合計４つの温蔵室１６と冷蔵室１７の組が構成されている。各温蔵室１６と冷蔵室１７の組には、それぞれ後記する扉６０が観音開き式に装備されている。
【００１０】
上記の中間壁１４は、冷気流通用の前後２本のダクト１８を間隔を開けて配することにより構成され、各ダクト１８の左右両面には、複数段の領域に分かれてそれぞれ通気口群１９が形成されている。機械室１２内では、両ダクト１８並びに一方の冷蔵室１７の天井面の開口を覆うようにして冷却器室２１が画成され、その中に、圧縮機２２、凝縮器２３等とともに冷凍サイクルを構成する冷却器と庫内ファン（ともに図示せず）が設置されている。このため、冷凍サイクルが運転されるとともに庫内ファンが駆動されると、冷却器近傍で生成された冷気が各ダクト１８内に吹き込まれて、通気口群１９を通して左右の冷蔵室１７に吹き出され、そののち一方の冷蔵室１７の天井側から冷却器室２１内に導かれるといった循環流を生じ、もって左右の冷蔵室１７が冷却されるようになっている。
【００１１】
一方、温蔵室１６における仕切壁１５とは反対側の側面には、ヒータパネル２５が張られている。このヒータパネル２５の裏面側には、機械室１２に装備された温蔵ユニット２６から引き出されたコードヒータが全面にわたって配線されており、主にヒータパネル２５からの輻射熱により温蔵室１６内が加熱されるようになっている。
トレイ２８は、合成樹脂等で横長の矩形状に形成され、横幅の中央部よりも少し一側に寄った位置に境界部２８Ａが設けられて、境界部２８Ａを挟んだ広い方に温かい状態で供される食品が、狭い方に冷たい状態で供される食品がそれぞれ載置される。このトレイ２８は、境界部２８Ａが仕切壁１５に貫通され、その両端の下面が、温蔵室１６のヒータパネル２５側、並びに冷蔵室１７のダクト１８側に設けられた一対のトレイ受け２０，２０で受けられつつ押し込まれて、前後両面から収容されるようになっている。
【００１２】
続いて、仕切壁１５は、断熱性を有する基台３０上に複数個の単位仕切壁３１を積み上げて形成されている。単位仕切壁３１の左右両面には一対の支持アームが突設され、両支持アームの突出端に左右一対のトレイ受け２０，２０が設けられることでユニット化されている。
単位仕切壁３１は大まかには、図３に示すように、ケース３２と、前後一対の仕切体４０と、ストッパ体５０とから構成されている。ケース３２は、合成樹脂材の押し出し成形等により形成されており、図１及び図２に示すように上端側を山形に尖らせた縦長断面の中空状に形成され、本体１０内のほぼ奥行寸法に匹敵する長さを有している。
【００１３】
ケース３２の底部側の内部には、２枚の横板が張られることにより、仕切体４０を収容する上部収容室３３と、ストッパ体５０を収容する下部収容室３４が形成されている。上部収容室３３と下部収容室３４の各底壁には、それぞれ幅方向の中央部において全長に亘る同幅の摺動案内溝が切られている。
仕切体４０は同じく合成樹脂製であって、上部収容室３３の摺動案内溝に摺動可能に嵌合する幅を持った箱状に形成され、単位仕切壁３１の下端側に前後一対が装着されるようになっている。仕切体４０と、単位仕切壁３１の上部収容室３３の天井面との間には板バネ４５が装着され、仕切体４０は板バネ４５の弾力により常には下向きに押圧付勢されており、上面の左右両側縁に設けられた引掛部が上部収容室３３の摺動案内溝の溝縁に係止されることで下動が規制され、下端が単位仕切壁３１の下面から一定長さ突出した状態で保持されている。なお、仕切体４０の下端の突出長さは、単位仕切壁３１が積み上げ状に配設された場合に、上下の単位仕切壁３１の間の間隔にほぼ匹敵する長さである。
【００１４】
上記した前後の仕切体４０，４０間の隙間部分には、ストッパ体５０が上下動可能に装着されている。このストッパ体５０は、下部収容室３４の天井面との間に装着された左右一対の補助板バネ５３によって、常には下動付勢されて仕切体４０の下面と面一の位置まで突出しており、また補助板バネ５３の弾力に抗して単位仕切壁３１の下面と面一となる位置まで上昇可能となっている。
以上のような構成によって、本実施形態の温冷配膳車は、トレイ２８を温蔵室１６と冷蔵室１７の前後の領域に収容するにあたって、本体１０の前面側のみから、後側の領域、続いて前側の領域と、順次に収容できる等の利便性を有する、いわゆるパススルー型のものとなっている。
【００１５】
各温蔵室１６と冷蔵室１７の前後の出入口には、それぞれ扉６０が装備されている。温蔵室１６用の扉６０Ａは、本体１０の開口部の左右両端側で揺動可能に支持されており、一方、冷蔵室１７用の扉６０Ｂは、温蔵室１６用の扉６０Ａよりも幅狭に形成され、本体１０の開口部の中央において揺動可能に支持されている。なお、扉を共通して説明する場合は、扉６０と称する。
扉６０は、軸側の縦枠、開放端側の縦枠及び上下２本の横枠からなるアルミニウム製の枠体の枠内に、透明なガラス板または樹脂板からなる２枚の窓板６１が所定間隔離間させた状態で嵌着されてなる。また、図４に示すように、両扉６０の開放端側の縦枠には、全高にわたって内部に手を差し込むことができる溝状の取手部６３が形成されている。また、扉６０の軸側及び開放端側の縦枠、上下の横枠のそれぞれの裏面には、全長にわたって装着溝６５が形成され、これらの装着溝６５に４分割された棒状のパッキン６４がそれぞれ装着されている。
【００１６】
各パッキン６４は、装着される枠体の全長に匹敵する長さを有し、装着溝６５に弾性変形されてつつ嵌着される嵌着部分６４Ａと、やはり角柱状のマグネット６６が埋設され扉６０を閉めた際に仕切壁１５に当接する当接部分６４Ｂとからなり、押出成形により一体的形成されたものである。なお、嵌着部分６４Ａ自体と、嵌着部分７４及び当接部分６４Ｂ間には空洞部分が形成され、これにより扉６０を閉める際の衝撃を吸収すると共に、断熱性向上が図られている。
【００１７】
さて、本実施形態では、両扉６０Ａ，６０Ｂに装着されたパッキン６４のうち開放端側のパッキン６４の当接部分６４Ｂには、仕切壁１５との接触面と面一となり隣の扉６０Ａ（６０Ｂ）側に向けて一体的に延出形成されたひれ部６７が設けられている。両パッキン６４，６４のひれ部６７，６７は、扉６０の縦枠の高さに匹敵する長さを有し、かつ両扉６０Ａ，６０Ｂを閉じた状態で延出端同士が互いに重なり合う幅を持っている（図４（Ｂ）参照）。なお、ひれ部６７は、例えばパッキン６４と同じ軟質な材質（例えば塩化ビニル等）からなる。このような材質であれば、ある程度の弾性も有し扉６０を閉めた際に仕切壁１５に対して圧接し高い気密性を得ることができる。
【００１８】
第１実施形態は、上記のような構造であって、境界部２８Ａを仕切壁１５に貫通させて、食品が載置されたトレイ２８を温蔵室１６及び冷蔵室１７にわたって収容し、図４（Ｂ）に示すように一対の扉６０，６０を順次閉じる。そうすると、仕切壁１５の端面上において、先に閉じた扉６０（同図で右の扉）のひれ部６７と、後に閉じた扉６０（同図で右の扉）のひれ部６７との両延出端同士が重なり合う。この際、パッキン６４がマグネット６６の磁力によって仕切壁１５の端面に張設された磁性の金属板に密着することで、両ひれ部６７，６７も仕切壁１５側に付勢された状態で仕切壁１５の端面上で重なり合い、更に、先に閉じた扉６０のひれ部６７が上下のケース３２，３２間にめり込むようにしてケース３２より一段奥側に凹んだ仕切体４０に接触する。
これにより、両扉６０Ａ，６０Ｂ間の隙間を埋めて温蔵室１６及び冷蔵室１７と外部との隙間を塞ぐことができる。このため、温蔵室１６及び冷蔵室１７と外部との熱の出入りが抑制されて、優れた温冷効果が発揮され、また省エネルギ化に寄与し得る。それとともに、外部の塵や害虫等が温蔵室１６及び冷蔵室１７内に侵入することが阻止され、衛生的である。しかも、両ひれ部６７，６７の延出端同士が仕切壁１５の端面上で重なり合うよう構成したので、両扉６０間の隙間を確実に塞ぐことができる。更に、ひれ部６７が仕切体４０に接触して温蔵室１６と冷蔵室１７との隙間をも塞ぐことができるから、両室１６，１７間の断熱性をも向上させることができる。
【００１９】
また、本実施形態では、温冷配膳車の扉６０に一般的に配されるパッキン６４から一体的に延設させてひれ部６７を設けた構成なので、ひれ部６７をパッキン６４の成形時に一体的に製造することができ、製造工数の増加を回避することができる。また、扉６０に対してパッキン６４を正規の位置に配置することでひれ部の配置位置も決まるので、ひれ部６７をパッキン６４と別体で形成した構成に比べてひれ部６７の位置決めを比較的容易行うことができる。
【００２０】
なお、上記構成において、ひれ部６７に厚みを持たせたり、ひれ部６７を軟質な材料で形成したりすると、ひれ部６７と仕切体４０との密着性をより向上させることができる。また、後者の構成の場合には、ひれ部をパッキンよりも柔らかい材質の別体で構成しても良く、そうすればパッキンに使用される材質に制約されることなくひれ部の材料選択をある程度自由に行うことが可能になる。
【００２１】
＜第２実施形態＞
本実施形態では、図６に示すように、両ひれ部６９，６９は、仕切壁１５の端面上において互いの先端同士が接触する程度の幅を持って形成されている。このような構成であれば、扉６０の開閉操作の際、両ひれ部６９，６９は互いに干渉することなく仕切壁１５の端面上で先端同士を接触させて両扉６０間の隙間を塞ぐことができる。更に、ひれ部６９が上下のケース３２，３２間にめり込むようにしてケース３２より一段奥側に凹んだ仕切体４０に接触して温蔵室１６と冷蔵室１７との隙間をも塞ぐことができる。従って、上記第１実施形態の効果に加えて、扉６０の開閉操作を繰り返してもひれ部６９先端が裂けるなどといったことが生じ難く、気密性の経時的な低下を抑制できるという効果を得ることができる。
【００２２】
なお、この第２実施形態でも、第１実施形態と同様に、ひれ部６７に厚みを持たせたり、軟質な材料で形成したりすると、ひれ部６７と仕切体４０との密着性向上が可能となる。また、後者の構成の場合には、ひれ部をパッキンよりも柔らかい材質の別体で構成すれば、パッキンに使用される材質に制約されることなくひれ部の材料選択をある程度自由に行うことが可能になる。
【００２３】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記各実施形態において、閉塞部としてのひれ部は、パッキンと同一材質で一体的に延設した構成を説明したが、両扉６０を閉めた際に互いに接触して両扉６０Ａ，６０Ｂ間の隙間を塞ぎ、かつ仕切壁１５の全長にわたって密着する構成であれば、パッキンとは別材質の別体で形成したものであっても良い。
【００２４】
（２）上記第２実施形態では、ひれ部を扉６０の縦枠の背面部分に接触する程度の厚みを持たせた構成であっても良い。このような構成にすれば、扉６０を閉めた際にひれ部が縦枠縁部の押圧されて仕切壁１５への密着性を高めることができる。
（３）上記各実施形態のような観音開き式扉を備えたものに限らず、一対の扉を、互いの隣接端側で揺動可能に連結すると共にいずれか一方の扉のうち前記隣接端とは反対側の一端を本体１０の開口部の縦枠部分に揺動可能に配置してなる折り戸式扉を備えたものであっても、両扉間に隙間が生じる可能性があり、本発明を適用することで同様の効果を得ることができる。
【００２５】
（４）上記各実施形態では、パススルー型の配膳車を例示したが、トレイを挿入方向からのみ引き出すことが可能な標準タイプの配膳車にも本発明は同様に適用可能である。
（５）本発明は、仕切壁を挟んだ両側に温蔵室と冷蔵室とを設けた温冷蔵装置全般に広く適用することができる。
【図面の簡単な説明】
【図１】本発明の第１実施形態に係る温冷配膳車の正面図
【図２】温冷配膳車の内部構造を示す斜視図
【図３】仕切壁の側面図
【図４】扉の開放端部分及び仕切体の上断面図
【図５】扉を閉じたときの温冷配膳車の正面図
【図６】第２実施形態における扉の開放端部分及び仕切体の上断面図
【図７】従来の温冷配膳車の正面図
【図８】本体内外の隙間を説明するための概略図
【符号の説明】
１０…本体　１５…仕切壁　１６…温蔵室　１７…冷蔵室　２８…トレイ　３１…単位仕切壁　３２…ケース　４０…仕切体　５０…ストッパ体　６０（６０Ａ，６０Ｂ）…扉　６４…パッキン　６７，６９…ひれ部（閉塞部）
【図１】
2004093060.tif 000003
【図２】
2004093060.tif 000004
【図３】
2004093060.tif 000005
【図４】
2004093060.tif 000006
【図５】
2004093060.tif 000007
【図６】
2004093060.tif 000008
【図７】
2004093060.tif 000009
【図８】
2004093060.tif 000010